(57)【要約】      （修正有）【課題】斬新性、新趣向性に富み、装飾効果が向上した破魔弓飾りを提供する。【解決手段】四角形状台部１と、二本の弓２と、四本の矢３，５，６とにより大略構成される破魔弓飾りであって、前記四本の矢３，５，６は、台部１の黒色下台７の上面に固定する白色菱形台盤８と、該白色菱形台盤８の上部に設けられる白色菱形受板の挿入穴に直立状となって挿通して飾るように構成される。前記四本の矢３，５，６の各矢幹は黒色で着色され、前記四本の矢３，５，６のうち、正面から見て前側に直立する矢３の矢幹には赤色あるいは朱色、後側に直立する矢の矢幹には緑色、左側に直立する矢５の矢幹には白色、右側に直立する矢６の矢幹には青色の着色部が施されている。【選択図】図１
0003185682.tif 000002
【実用新案登録請求の範囲】
【請求項１】
四角形状台部と、二本の弓と、四本の矢とにより大略構成される破魔弓飾りであって、前記四本の矢は、台部の黒色下台の上面に固定する白色菱形台盤と該台盤上部の白色菱形受板挿入穴に直立状となって挿通して飾るように構成され、前記四本の矢の各矢幹は黒色で着色され、前記四本の矢のうち、正面から見て前側に直立する矢の矢幹には赤色あるいは朱色の着色部が施され、前記四本の矢のうち、正面から見て後側に直立する矢の矢幹には緑色の着色部が施され、前記四本の矢のうち、正面から見て左側に直立する矢の矢幹には白色の着色部が施され、前記四本の矢のうち、正面から見て右側に直立する矢の矢幹には青色の着色部が施されることを特徴とする破魔弓の飾り。
【請求項２】
前記四本の矢の各矢幹には、木製の薄板に筋目加工を施して三枚羽根形状となり、鳥の羽根の形象体を構成する矢羽根が取り付けられ、前記四本の矢のうち、正面から見て前側に直立して飾られる矢の矢幹に取り付く矢羽根は黒色に着色される二枚の羽根及び赤色に着色される一枚の羽根により構成され、前記四本の矢のうち、正面から見て後側に直立して飾られる矢の矢幹に取り付く矢羽根には黒色に着色される二枚の羽根及び緑色に着色される一枚の羽根により構成され、前記四本の矢のうち、正面から見て左側に直立して飾られる矢の矢幹に取り付く矢羽根は黒色に着色される二枚の羽根及び白色に着色される一枚の羽根により構成され、前記四本の矢のうち、正面から見て右側に直立して飾られる矢の矢幹に取り付く矢羽根は黒色に着色される二枚の羽根及び白色に着色される一枚の羽根により構成されることを特徴とする請求項１記載の破魔弓飾り。
【請求項３】
前記白色菱形台盤には、二本の弓が支立し、該弓の握りには白色のアクリル糸，白色の絹糸，白色のポリエステル糸などを使用して形成される籐巻きを有してなることを特徴とする請求項１記載の破魔弓飾り。
【考案の詳細な説明】
【考案の詳細な説明】
【技術分野】
【０００１】  本考案は、破魔弓飾りに関するものである。
【背景技術】
【０００２】  男子の初正月や五月節句を祝うものとして、弓と矢を記した数々の破魔弓が商品化されている。
【考案が解決しようとする課題】
【０００３】  ところで、上述のような破魔弓の構造や意匠は、看者に旧態依然とした印象と、見飽きた感を与えていた。
【０００４】  また、一般に破魔弓の矢の矢羽根には本物の鳥の羽根（例えば七面鳥、雉子、鶴、鷹、にわとり等の羽根）が使用され、構成材料の多くは七面鳥の白い羽に鷹などの羽根の模様を染め付けたものが採用されている。
【０００５】  しかし、矢羽根の構成材料となる鳥の羽根は、専ら中国・米国などからの輸入品がほとんどで、保護鳥として知られている雉子、鶴、鷹の羽は入手が困難とされている。
【課題を解決するための手段】
【０００６】  本考案は、上記［０００３］及び［０００４］に記載の問題点を解消することを目的として創案された破魔弓飾りの改良に係り、詳しくは本考案は、斬新性と新趣向性に富み、且つ、従来の破魔弓に比し、装飾効果が一段と向上し、昨今の多様化した破魔弓需要のニーズにも対応できる破魔弓飾りを特徴とする。
【考案を実施するための形態】
【０００７】  本考案は、四角形状台部１と、二本の弓２と、四本の矢３，４，５，６とにより大略構成される破魔弓飾りであって、前記四本の矢３，４，５，６は、台部１の黒色下台７の上面に固定する白色菱形台盤８と、該白色菱形台盤８の上部に設けられる白色菱形受板９の挿入穴（図示を省略）に直立状となって挿通して飾るように構成される。
【０００８】  前記四本の矢３，４，５，６の各矢幹は黒色で着色され、前記四本の矢３，４，５，６のうち、正面から見て前側に直立する矢３の矢幹には赤色あるいは朱色の着色部１０が施され、前記四本の矢３，４，５，６のうち正面から見て後側に直立する矢４の矢幹には緑色の着色部１１が施され、前記四本の矢３，４，５，６のうち、正面から見て左側に直立する矢５の矢幹には白色の着色部１２が施され、前記四本の矢３，４，５，６のうち、正面から見て右側に直立する矢６の矢幹には青色の着色部１３が施されている。
【０００９】  また、前記四本の矢３，４，５，６の各矢幹には、木製の薄板に筋目加工を施して三枚羽根形状となり、鳥の羽根の形象体を構成する矢羽根１４，１５，１６，１７が取り付けられ、前記四本の矢３，４，５，６のうち、正面から見て前側に直立して飾られる矢３の矢幹に取り付く矢羽根１４は、黒色に着色される二枚の羽根及び赤色に着色される一枚の羽根により構成される。
また、前記四本の矢３，４，５，６のうち、正面から見て後側に直立して飾られる矢４の矢幹に取り付く矢羽根１５は、黒色に着色される二枚の羽根及び緑色に着色される一枚の羽根により構成される。
また、前記四本の矢３，４，５，６のうち、正面から見て左側に直立して飾られる矢５の矢幹に取り付く矢羽根１６は、黒色に着色される二枚の羽根及び白色に着色される一枚の羽根により構成される。
また、前記四本の矢３，４，５，６のうち、正面から見て右側に直立して飾られる矢６の矢幹に取り付く矢羽根１７は、黒色に着色される二枚の羽根及び青色に着色される一枚の羽根により構成される。
【００１０】  図面符号１８は、前記弓２の握りを示し、該握りは黒色で施色され、該握り１８には籐巻き１９を有し、該籐巻き１９は、白色のアクリル糸，白色の絹糸，白色のポリエステル糸などを使用して形成され、二本の弓は前記白色菱形台盤８に支立する。
【考案の効果】
【００１１】  本考案は、以上説明したような形態で実施され、以下に記載されるような効果を奏する。
【００１２】  四本の矢の夫々の矢幹に赤色あるいは朱色，緑色，青色，白色の着色部を施し、更には前記の各矢幹に取り付く各矢羽根を木製の極薄板に筋目加工を施したものによって作出し、しかも従来輸入に依存していた鳥の羽根使用による矢羽根作りが不用になるから経済的であり、前記各矢羽根には黒色と赤色，黒色と緑色，黒色と青色，黒色と白色の着色が施し、二本の弓の握りには白色の籘巻きが施してあるので、破魔弓飾り全体にカラフルな彩りを醸出し、美観上好ましく新趣向性に富み、飾っても飽きのこない見映えする破魔弓飾りを得ることができる。
【図面の簡単な説明】
【図１】破魔弓飾りの正面図である。
【図２】破魔弓飾りの背面図である。
【図３】矢の矢幹の構成を示す説明図である。
【図４】矢の矢羽根の構成を示す説明図である。
【符号の説明】１    台部
２    弓
３    矢
４    矢
５    矢
６    矢
７    黒色下台
８    白色菱形台盤
９    白色菱形受板
１０  着色部
１１  着色部
１２  着色部
１３  着色部
１４  矢羽根
１５  矢羽根
１６  矢羽根
１７  矢羽根
１８  握り
１９  籐巻き
【図１】
0003185682.tif 000003
【図２】
0003185682.tif 000004
【図３】
0003185682.tif 000005
【図４】
0003185682.tif 000006